(57)【要約】【課題】動植物の生息領域を効率的に形成し、さらに、河川本来がもつ流れのダイナミズムを利用して自然の攪乱と更新を呼び込み、河川の縦・横の連続性を維持し、多様な河川の形態に対応できる生物生息領域を防護することのできる水辺の保全ブロックおよびその敷設方法を提供することを目的とする。【解決手段】１片の長さがＬの略正方形状の断面を有し、長さが３Ｌ以上の長辺部２と、この長辺部２の一端部に直交して連設された、長さが略Ｌである短辺部３とによって構成されていることを特徴とする。【選択図】　　　図１
2004027696.tif 000002
【特許請求の範囲】
【請求項１】
１片の長さがＬの略正方形状の断面を有し、長さが３Ｌ以上の長辺部と、この長辺部の一端部に直交して連設された、長さが略Ｌである短辺部とによって構成されていることを特徴とする水辺の保全ブロック。
【請求項２】
前記短辺部が、前記長辺部の一端部両側に設けられていることを特徴とする請求項１に記載の水辺の保全ブロック。
【請求項３】
前記長辺部あるいは短辺部の少なくとも一方に、木材からなる棒状部材が立設されていることを特徴とする請求項１または請求項２に記載の水辺の保全ブロック。
【請求項４】
前記棒状部材が、前記長辺部あるいは短辺部の上部に、その１片の長さＬに対して、約０．５Ｌ〜２Ｌの長さに突出させられていることを特徴とする請求項３に記載の水辺の保全ブロック。
【請求項５】
前記棒状部材に、この棒状部材と交差するように横木が取り付けられていることを特徴とする請求項３または請求項４に記載の水辺の保全ブロック。
【請求項６】
請求項１ないし請求項５の何れかに記載の水辺の保全ブロックにおいて、表面に、フックが設けられていることを特徴とする水辺の保全ブロック。
【請求項７】
請求項１ないし請求項６に記載の保全ブロックの複数を、これらの長辺部と短辺部とを係合させつつ、水辺の水流と直交する方向に順次敷設して水制工を構築することを特徴とする水辺の保全ブロックの敷設方法。
【請求項８】
前記敷設される複数の保全ブロック間に、隙間を形成することを特徴とする請求項７に記載の水辺の保全ブロックの敷設方法。
【請求項９】
前記複数の保全ブロックを、前記水辺から流れの中心部へ向かって敷設した後に、その先端から上流側へ向けて敷設して、略Ｌ字状の水制工を構築することを特徴とする請求項７または請求項８に記載の水辺の保全ブロックの敷設方法。
【請求項１０】
前記複数の保全ブロックを、前記水辺から流れの中心部へ向かって敷設して略三角形状の水制工を構築することを特徴とする請求項７または請求項８に記載の水辺の保全ブロックの敷設方法。
【請求項１１】
前記保全ブロックの上部に木材からなる棒状部材を立設しておき、隣接して敷設される保全ブロックに立設されている棒状部材間を、横木によって相互に連結することを特徴とする請求項７ないし請求項１０の何れかに記載の水辺の保全ブロックの敷設方法。
【請求項１２】
前記保全ブロックの表面にフックを設けておき、隣接して敷設される保全ブロックのフック間を、連結部材によって相互に連結することを特徴とする請求項７ないし請求項１０の何れかに記載の水辺の保全ブロックの敷設方法。
【請求項１３】
前記水制工の側部あるいは内部の隙間に、現地発生材を沈設することを特徴とする請求項７ないし請求項１２の何れかに記載の水辺の保全ブロックの敷設方法。
【請求項１４】
前記現地発生材が、自然石であることを特徴とする請求項１３に記載の水辺の保全ブロックの敷設方法。
【請求項１５】
前記現地発生材が、間伐材であることを特徴とする請求項１３に記載の水辺の保全ブロックの敷設方法。
【請求項１６】
前記現地発生材が、粗朶であることを特徴とする請求項１３に記載の水辺の保全ブロックの敷設方法。
【請求項１７】
前記現地発生材が、現地発生土であることを特徴とする請求項１３に記載の水辺の保全ブロックの敷設方法。
【発明の詳細な説明】
【０００１】
【発明の属する技術分野】
本発明は、河川等の水辺の土木工事に用いられる保全ブロックおよびその敷設方法に関するものである。
【０００２】
【従来の技術】
従来、河川等の水辺の土木工事には、護岸の根固工として、主に平型のコンクリート製ブロックが用いられ、この平型のコンクリート製ブロックは水辺に沿って所定幅に敷設することによって、水辺の浸食を防止するようにしている。
【０００３】
【発明が解決しようとする課題】
ところで、このような平型コンクリート製ブロックを用いた水辺の土木工事にあっては、ブロック単体で水流に抵抗するように設計されているため、設計外の外力が働いたときは、平型コンクリート製ブロック間の連結強度が得られず、水の流れによってブロック間が開き、浸食防止効果が低下し、また、川底のほとんどがコンクリートによって覆われてしまうことから、植生効果がほとんど得られず、また、生物にとっての生息域を提供しにくいといった不具合がある。
一方、前記平型コンクリート製ブロックは、そのかみ合いが平面的であり、また、立体的にかみ合わせる場合にあっても一定の組み合わせに限定されることから、河川の形態や特性に応じた配列を行うことができない。
【０００４】
特に、近年、河川の自然環境を保全し、河川に生息する動植物のことを考慮した、生態系重視の土木構造物の構築が要望されており、このような要望に対して、前述した平型コンクリートのみを用いた土木構造素材では対応できない。
【０００５】
本発明は、このような従来の問題点に鑑みてなされたもので、動植物の生息領域を効率的に形成し、さらに、河川本来がもつ流れのダイナミズムを利用して自然の攪乱と更新を呼び込み、河川の縦・横の連続性を維持し、多様な河川の形態に対応できる生物生息領域を防護することのできる水辺の保全ブロックおよびその敷設方法を提供することを目的とする。
【０００６】
【課題を解決するための手段】
本発明の請求項１に記載の水辺の保全ブロックは、前述した目的を達成するために、１片の長さがＬの略正方形状の断面を有し、長さが３Ｌ以上の長辺部と、この長辺部の一端部に直交して連設された、長さが略Ｌである短辺部とによって構成されていることを特徴とする。
本発明の請求項２に記載の水辺の保全ブロックは、請求項１に記載の前記短辺部が、前記長辺部の一端部両側に設けられていることを特徴とする。
本発明の請求項３に記載の水辺の保全ブロックは、請求項１または請求項２に記載の前記長辺部あるいは短辺部の少なくとも一方に、木材からなる棒状部材が立設されていることを特徴とする。
本発明の請求項４に記載の水辺の保全ブロックは、請求項３に記載の前記棒状部材が、前記長辺部あるいは短辺部の上部に、その１片の長さＬに対して、約０．５Ｌ〜２Ｌの長さに突出させられていることを特徴とする。
本発明の請求項５に記載の水辺の保全ブロックは、請求項３または請求項４に記載の前記棒状部材に、この棒状部材と交差するように横木が取り付けられていることを特徴とする。
本発明の請求項６に記載の水辺の保全ブロックは、請求項１ないし請求項５の何れかに記載の水辺の保全ブロックにおいて、表面に、フックが設けられていることを特徴とする。
本発明の請求項７に記載の水辺の保全ブロックの敷設方法は、請求項１ないし請求項６に記載の保全ブロックの複数を、これらの長辺部と短辺部とを係合させつつ、水辺の水流と直交する方向に順次敷設して水制工を構築することを特徴とする。
本発明の請求項８に記載の水辺の保全ブロックの敷設方法は、請求項７に記載の前記敷設される複数の保全ブロック間に、隙間を形成することを特徴とする。本発明の請求項９に記載の水辺の保全ブロックの敷設方法は、請求項７または請求項８に記載の前記複数の保全ブロックを、前記水辺から流れの中心部へ向かって敷設した後に、その先端から上流側へ向けて敷設して、略Ｌ字状の水制工を構築することを特徴とする。
本発明の請求項１０に記載の水辺の保全ブロックの敷設方法は、請求項７または請求項８に記載の前記複数の保全ブロックを、前記水辺から流れの中心部へ向かって敷設して略三角形状の水制工を構築することを特徴とする。
本発明の請求項１１に記載の水辺の保全ブロックの敷設方法は、請求項７ないし請求項１０の何れかに記載の前記保全ブロックの上部に木材からなる棒状部材を立設しておき、隣接して敷設される保全ブロックに立設されている棒状部材間を、横木によって相互に連結することを特徴とする。
本発明の請求項１２に記載の水辺の保全ブロックの敷設方法は、請求項７ないし請求項１０の何れかに記載の前記保全ブロックの表面にフックを設けておき、隣接して敷設される保全ブロックのフック間を、連結部材によって相互に連結することを特徴とする。
本発明の請求項１３に記載の水辺の保全ブロックの敷設方法は、請求項７ないし請求項１２の何れかに記載の前記水制工の側部あるいは内部の隙間に、現地発生材を沈設することを特徴とする。
本発明の請求項１４に記載の水辺の保全ブロックの敷設方法は、請求項１３に記載の前記現地発生材が、自然石であることを特徴とする。
本発明の請求項１５に記載の水辺の保全ブロックの敷設方法は、請求項１３に記載の前記現地発生材が、間伐材であることを特徴とする。
本発明の請求項１６に記載の水辺の保全ブロックの敷設方法は、請求項１３に記載の前記現地発生材が、粗朶であることを特徴とする。
本発明の請求項１７に記載の水辺の保全ブロックの敷設方法は、請求項１３に記載の前記現地発生材が、現地発生土であることを特徴とする。
【０００７】
【発明の実施の形態】
以下、本発明の一実施形態について、図１、図２、を参照して説明する。
本実施形態に係わる水辺の保全ブロック１は、１片の長さがＬの略正方形状の断面を有し、長さが３Ｌ以上の長辺部２と、この長辺部２の一端部に直交して連設された、長さが略Ｌである短辺部３とによって構成されている
【０００８】
この保全ブロック１は、たとえば、通常のコンクリートの他、再生骨材を５０％〜１００％用いたコンクリートブロックであり、前記長辺部２の端面と上面、および、前記短辺部３の上面には凹部４が形成され、その内部に、吊り上げや連結に用いられるハンドリング用のフック５が固定されている。
【０００９】
そして、図１に示すように、前記短辺部３は、前記長辺部２の一端部の一側部に延設されて、全体としてＬ字状に形成され、また、図２に示すように、前記長辺部２の一端部の両側部に延設されて、全体としてＴ字状に形成される。
【００１０】
このように形成された保全ブロック１は、水辺に敷設する際に、図３ないし図１１に示すように組み合わされて相互に係合させられることにより、相互の離脱が防止されるようになっている。
そして、必要に応じて、図７に示すように、隣接して敷設される保全ブロック１・１のそれぞれに設けられているフック５どうしをチェーンやシャックル等の連結部材Ｔによって連結する。
【００１１】
すなわち、図３は、短辺部３同士を係合させるとともに、長辺部２が相互に逆方向に向くように係合させた例である。
図４は、一方の短辺部３を、他方の長辺部２と短辺部３とによって形成される凹部内に係合させた例である。
図５は、一方の長辺部２の先端部を、他方の長辺部２と短辺部３との連続部に係合させた例である。
図６は、２つの長辺部２同士を当接するように沿わせるとともに、一方の長辺部２の先端部を他方の短辺部３に当接させることによって係合させた例である。図７は、一方の短辺部３を、他方の短辺部３と長辺部２とによって形成される凹部内に係合させ、両長辺部２を所定間隔をおいて平行に保持させた例である。図８は、一方の短辺部３の先端を他方の長辺部２の先端部分に当接させて４角形状に係合させることにより、中心部に隙間Ｇを形成した例である。
図９ないし図１１は、２つの保全ブロック１を、その短辺部３を鉛直方向沿わせるとともに、一方の保全ブロック１の長辺部２を他方の保全ブロック１の長辺部２上に重ね合わせ、かつ、両短辺部２を当接させて係合させた例である。
【００１２】
一方、前記保全ブロック１は、必要に応じて、図１２ないし図１５に示すように、その上面に、木製の棒状部材６を立設する。
この棒状部材６は、前記保全ブロック１内に、Ｌ／２の長さ埋め込まれ、また、その突出高さＨが、０．５Ｌ〜２Ｌの範囲に設定される。
この棒状部材６は、前記保全ブロック１を水中に設置した際に、水の流れ方向の制御に利用され、あるいは、この棒状部材６の上端を水面から上方に突出させておくことにより、鳥類や昆虫等の止まり木として用いられる。
また、主に洪水時等において流下してくる流木や木枝を捕捉して、魚類の産卵床や底生生物の棲み家を形成する。
【００１３】
そして、図１６ないし図１８は、前記棒状部材６が設けられた保全ブロック１の、敷設時の係合例を示す。
【００１４】
このように構成された保全ブロック１は、その形状や組み合わせ、あるいは、係合形態を適宜選択しつつ水辺に敷設される。
【００１５】
たとえば、図１９に示すように、図１６に示すように係合させられた保全ブロック１を、水流と直交するように敷設して、直線状の水制工Ｘを構築する。
このような水制工Ｘをにあっては、各保全ブロック１同士が、それぞれの短辺部３を介して相互に係合させられていることにより、各保全ブロック１の離間が阻止されて、水辺の浸食防止効果が確保される。
【００１６】
また、水流と直交するような水制工Ｘが形成されることにより、この水制工Ｘの下流側に淀みＤが形成され、魚類等の生息、あるいは、産卵領域が形成されるとともに、前記水制工Ｘの下流側には、前記淀みＤによって砂礫や土砂が堆積して植生領域Ｅが形成される。
【００１７】
さらに、各保全ブロック１に取り付けられた棒状部材６によって、前記水流の向きや速度が制御され、これによって、前記淀みＤの発生位置や大きさ調整され、また、砂礫や土砂の堆積が促進されて植生領域Ｅが効果的に形成される。
【００１８】
そして、前述した水制工Ｘを、図１９に示すように流れ方向に間隔をおいて複数箇所に形成して、前記淀みＤや植生領域Ｅを多数形成することも可能である。
【００１９】
さらに、前記水制工Ｘの両側や、この水制工Ｘ内で、前記各保全ブロック１間に形成される隙間に、自然石や土砂、あるいは、間伐材等の現地発生材Ｙを沈設することも可能である。
このような現地発生材Ｙは、自然環境の保全や復元という観点から、その河川が本来有する材料を用いることが望ましく、主に、自然素材である自然石、土砂、竹等が使用され、これによって、各保全ブロック１の位置ずれが防止されるとともに、良好な生物生息領域や植生帯が形成され、前記淀みＤや植生領域Ｅの生成が促進される。
これによって、洪水時の避難場所や、たなごの産卵母貝の生息場が形成される。
また、現地発生自然石を沈設した場合にあっては、これらのほとんどが浮き石となり、底生生物の生息場が形成され、付着藻類の生産、あるいは、上位捕食者からの避難場所が形成される。
そして、前記現地発生材が、粗朶や倒木等である場合には、魚類の避難場所や給餌場が形成される。
【００２０】
なお、前記実施形態において示した各構成部材の諸形状や寸法、あるいは、保全ブロック１の敷設形態等は一例であって、設計要求等に基づき種々変更可能である。
たとえば、図２０および図２１に示すように、水制工Ｘを水辺に沿って形成したり、図２２に示すように、Ｌ字状もしくはコ字状の水制工Ｘとしたり、図２３や図２４に示すように、略３角形状の水制工Ｘとすることもできる。
また、図１２に鎖線で示すように、前記棒状部材６に、この棒状部材６と交差するように横木１０を取り付けることもできる。
これによって、流木や木枝の捕捉機能が高められるとともに、前述した水の流速や流れ方向の制御を行うことができる。
さらに、図１６に鎖線で示すように、隣接する保全ブロック１に立設されている棒状部材６同士を、前記横木１０で連結して、保全ブロック１どうしの連結を一層強固なものとすることも可能である。
【００２１】
【発明の効果】
以上説明したように、本発明によれば、水辺に敷設される保全ブロックを、１片の長さがＬの略正方形状の断面を有し、長さが３Ｌ以上の長辺部と、この長辺部の一端部に直交して連設された、長さが略Ｌである短辺部とによって構成することにより、敷設後の各保全ブロック間の係合を確実に行って、これらの位置ずれを防止し、これによって、水辺の浸食を確実に防止しつつ水制工を構築することができる。
この結果、水流の向きや速度を容易に調整して、前記水制工の近傍や隙間に淀みや植生領域を形成し、現地発生の自然素材を有効に活用することにより、動植物の生育環境を容易に形成することができる。
【図面の簡単な説明】
【図１】本発明の一実施形態に係わる保全ブロックを示す斜視図である。
【図２】本発明の一実施形態に係わる保全ブロックの変形例を示す斜視図である。
【図３】本発明の一実施形態に係わる保全ブロックの組み合わせの一例を示す斜視図である。
【図４】本発明の一実施形態に係わる保全ブロックの組み合わせの一例を示す斜視図である。
【図５】本発明の一実施形態に係わる保全ブロックの組み合わせの一例を示す斜視図である。
【図６】本発明の一実施形態に係わる保全ブロックの組み合わせの一例を示す斜視図である。
【図７】本発明の一実施形態に係わる保全ブロックの組み合わせの一例を示す斜視図である。
【図８】本発明の一実施形態に係わる保全ブロックの組み合わせの一例を示す斜視図である。
【図９】本発明の一実施形態に係わる保全ブロックの組み合わせの一例を示す斜視図である。
【図１０】本発明の一実施形態に係わる保全ブロックの組み合わせの一例を示す斜視図である。
【図１１】本発明の一実施形態に係わる保全ブロックの組み合わせの一例を示す斜視図である。
【図１２】本発明の他の実施形態に係わる保全ブロックを示す側面図である。
【図１３】本発明の他の実施形態に係わる保全ブロックを示す平面図である。
【図１４】本発明の他の実施形態に係わる保全ブロックを示す斜視図である。
【図１５】本発明の他の実施形態に係わる保全ブロックを示す斜視図である。
【図１６】本発明の他の実施形態に係わる保全ブロックの組み合わせの一例を示す斜視図である。
【図１７】本発明の他の実施形態に係わる保全ブロックの組み合わせの一例を示す斜視図である。
【図１８】本発明の他の実施形態に係わる保全ブロックの組み合わせの一例を示す斜視図である。
【図１９】本発明の保全ブロックの敷設方法の一例を示す平面図である。
【図２０】本発明の保全ブロックの敷設方法の他の例を示す平面図である。
【図２１】本発明の保全ブロックの敷設方法の他の例を示す平面図である。
【図２２】本発明の保全ブロックの敷設方法の他の例を示す平面図である。
【図２３】本発明の保全ブロックの敷設方法の他の例を示す平面図である。
【図２４】本発明の保全ブロックの敷設方法の他の例を示す平面図である。
【符号の説明】
１　（水辺の）保全ブロック
２　長辺部
３　短辺部
４　凹部
５　フック
６　棒状部材
１０　横木
Ｄ　淀み
Ｅ　植生領域
Ｘ　水制工
Ｙ　現地発生材（自然素材）
Ｇ　隙間
【図１】
2004027696.tif 000003
【図２】
2004027696.tif 000004
【図３】
2004027696.tif 000005
【図４】
2004027696.tif 000006
【図５】
2004027696.tif 000007
【図６】
2004027696.tif 000008
【図７】
2004027696.tif 000009
【図８】
2004027696.tif 000010
【図９】
2004027696.tif 000011
【図１０】
2004027696.tif 000012
【図１１】
2004027696.tif 000013
【図１２】
2004027696.tif 000014
【図１３】
2004027696.tif 000015
【図１４】
2004027696.tif 000016
【図１５】
2004027696.tif 000017
【図１６】
2004027696.tif 000018
【図１７】
2004027696.tif 000019
【図１８】
2004027696.tif 000020
【図１９】
2004027696.tif 000021
【図２０】
2004027696.tif 000022
【図２１】
2004027696.tif 000023
【図２２】
2004027696.tif 000024
【図２３】
2004027696.tif 000025
【図２４】
2004027696.tif 000026